(57)【特許請求の範囲】
【請求項１】
商品に関する文字情報を含む画像データを表示部に表示可能な複数の電子棚札と、基地局を介して前記各電子棚札と通信を行うＥＳＬサーバと、を含み、所定のスケジュールに従って商品の広告コンテンツをディスプレイに表示させるサイネージシステムと接続するＥＳＬシステムの前記ＥＳＬサーバであって、
前記各電子棚札に固有の棚札ＩＤと各商品に固有の商品ＩＤとを対応付けてメモリに保存する管理データ処理部と、
前記各電子棚札に表示させる画像データを前記商品毎に生成する画像データ生成部と、
前記各電子棚札に、前記棚札ＩＤに対応する商品ＩＤの画像データを送信する画像データ送信部と、
前記サイネージシステムから、前記広告コンテンツの表示時間を示すスケジュール情報を広告商品の商品ＩＤとともに受信する受信部と、
前記スケジュール情報に基づいて、前記棚札ＩＤが前記広告商品の商品ＩＤに対応付けられている前記広告商品の電子棚札の表示状態を制御する棚札制御部と、
を具備し、
前記画像データ生成部は、前記広告商品について、第１の画像データと、前記第１の画像データと態様が異なる第２の画像データを生成し、
前記棚札制御部は、前記広告商品の電子棚札に対して、前記サイネージシステムにおいて前記広告コンテンツが前記ディスプレイに表示されている時間を含む第１時間には前記第１の画像データを表示させ、前記第１時間以外の第２時間には前記第２の画像データを表示させる、
ＥＳＬサーバ。
【請求項２】
前記受信部は、前記サイネージシステムから、前記各広告商品の前記第１の画像データおよび前記第２の画像データのそれぞれについて、前記商品ＩＤ、ＰＯＰ（Point of Purchase）情報およびテンプレート情報を含む表示方式データを受信し、ＰＯＳサーバから、前記商品ＩＤ、商品名および価格を含む商品データを受信し、
前記画像データ生成部は、前記テンプレート情報に規定された各領域に前記商品名、前記価格および前記ＰＯＰ情報を表示するように、前記第１の画像データおよび前記第２の画像データを生成する、
請求項１に記載のＥＳＬサーバ。
【請求項３】
商品に関する文字情報を含む画像データを表示部に表示可能な複数の電子棚札と、基地局を介して前記各電子棚札と通信を行うＥＳＬサーバと、を含み、所定のスケジュールに従って商品の広告コンテンツをディスプレイに表示させるサイネージシステムと接続するＥＳＬシステムの前記ＥＳＬサーバであって、
前記各電子棚札に固有の棚札ＩＤと各商品に固有の商品ＩＤとを対応付けてメモリに保存する管理データ処理部と、
前記各電子棚札に表示させる画像データを前記商品毎に生成する画像データ生成部と、
前記各電子棚札に、前記棚札ＩＤに対応する商品ＩＤの画像データを送信する画像データ送信部と、
前記サイネージシステムから、前記広告コンテンツの表示時間を示すスケジュール情報を広告商品の商品ＩＤとともに受信する受信部と、
前記スケジュール情報に基づいて、前記棚札ＩＤが前記広告商品の商品ＩＤに対応付けられている前記広告商品の電子棚札の状態を制御する棚札制御部と、
を具備し、
前記棚札制御部は、前記広告商品の電子棚札のＬＥＤを、前記サイネージシステムにおいて前記広告コンテンツが前記ディスプレイに表示されている時間を含む第１時間には点灯または点滅させ、前記第１時間以外の第２時間には消灯させる、
ＥＳＬサーバ。
【請求項４】
前記管理データ処理部は、各商品の商品ＩＤと当該商品に関連する商品の商品ＩＤとを対応付けてメモリに保存し、
前記棚札制御部は、前記棚札ＩＤが前記広告商品に関連する商品の商品ＩＤに対応付けられている関連商品の電子棚札のＬＥＤを、前記第１時間には前記広告商品の電子棚札のＬＥＤと異なる色で点灯または点滅させ、前記第２時間には消灯させる、
請求項３に記載のＥＳＬサーバ。
【請求項５】
商品に関する文字情報を含む画像データを表示部に表示可能な複数の電子棚札と、基地局を介して前記各電子棚札と通信を行うＥＳＬサーバと、を含み、所定のスケジュールに従って商品の広告コンテンツをディスプレイに表示させるサイネージシステムと接続するＥＳＬシステムであって、
前記ＥＳＬサーバは、
前記各電子棚札に固有の棚札ＩＤと各商品に固有の商品ＩＤとを対応付けてメモリに保存し、
前記サイネージシステムから、前記広告コンテンツの表示時間を示すスケジュール情報を広告商品の商品ＩＤとともに受信し、
前記広告商品について、第１の画像データと、前記第１の画像データと態様が異なる第２の画像データを生成し、
前記棚札ＩＤが前記広告商品の商品ＩＤに対応付けられている前記広告商品の電子棚札に対して、前記第１の画像データ及び前記第２の画像データを送信し、
前記広告商品の電子棚札は、
前記ＥＳＬサーバで作成された前記第１の画像データおよび前記第２の画像データを受信し、
前記サイネージシステムにおいて前記広告コンテンツが前記ディスプレイに表示されている時間を含む第１時間に前記第１の画像データを表示し、
前記第１時間以外の第２時間に前記第２の画像データを表示する、
ＥＳＬシステム。
【請求項６】
商品に関する文字情報を含む画像データを表示部に表示可能な複数の電子棚札と、基地局を介して前記各電子棚札と通信を行うＥＳＬサーバと、を含み、所定のスケジュールに従って商品の広告コンテンツをディスプレイに表示させるサイネージシステムと接続するＥＳＬシステムであって、
前記ＥＳＬサーバは、
前記各電子棚札に固有の棚札ＩＤと各商品に固有の商品ＩＤとを対応付けてメモリに保存し、
前記各電子棚札に表示させる複数の画像データを前記商品毎に生成し、
前記各電子棚札に、前記棚札ＩＤに対応付けられた商品ＩＤの画像データを送信し、
前記サイネージシステムから、前記広告コンテンツの表示時間を示すスケジュール情報を広告商品の商品ＩＤとともに受信し、
前記スケジュール情報に基づいて、前記棚札ＩＤが前記広告商品の商品ＩＤに対応付けられている広告商品電子棚札に対して、前記サイネージシステムにおいて前記広告コンテンツが前記ディスプレイに表示されている時間を含む第１時間にはＬＥＤを点灯または点滅させ、前記第１時間以外の第２時間にはＬＥＤを消灯させるように指示し、
前記広告商品の電子棚札は、
前記ＥＳＬサーバで作成された画像データを受信して表示し、
前記ＥＳＬサーバの指示に従ってＬＥＤの状態を制御する、
ＥＳＬシステム。
【発明の詳細な説明】
【技術分野】
【０００１】
本発明は、デジタルサイネージと連携したＥＳＬ（電子棚札表示）システムおよびこれに用いられるＥＳＬサーバに関する。
【背景技術】
【０００２】
近年、特定商品の宣伝のために、商店の店頭等に設置されたディスプレイ（映像表示端末）に、対象となる商品の広告の静止画像を映したり動画コンテンツを放映したりするデジタルサイネージが普及している（特許文献１参照）。
【先行技術文献】
【特許文献】
【０００３】
【特許文献１】特開２０１４−１８６５５２号公報
【発明の概要】
【発明が解決しようとする課題】
【０００４】
しかしながら、これまでは、デジタルサイネージの設置場所と広告商品が置かれている場所とが関連していないため、２つの場所が離れている場合等には、消費者が、当該商品を探すことが困難であった。このため、消費者が、広告商品に興味を持ったとしても、当該商品の購入に至らない場合が有り、デジタルサイネージによる販売促進の効果を十分に発揮することができていなかった。【０００５】
本発明は、上記の点に鑑みて為されたものであり、デジタルサイネージと連携し、消費者に広告商品が置かれている場所を知らせ、販売促進の効果を十分に発揮することができるＥＳＬシステムおよびこれに用いられるＥＳＬサーバを提供することを目的とする。
【課題を解決するための手段】
【０００６】
本発明に係るＥＳＬサーバは、商品に関する文字情報を含む画像データを表示部に表示可能な複数の電子棚札と、基地局を介して前記各電子棚札と通信を行うＥＳＬサーバと、を含み、所定のスケジュールに従って商品の広告コンテンツをディスプレイに表示させるサイネージシステムと接続するＥＳＬシステムの前記ＥＳＬサーバであって、前記各電子棚札に固有の棚札ＩＤと各商品に固有の商品ＩＤとを対応付けてメモリに保存する管理データ処理部と、前記各電子棚札に表示させる画像データを前記商品毎に生成する画像データ生成部と、前記各電子棚札に、前記棚札ＩＤに対応する商品ＩＤの画像データを送信する画像データ送信部と、前記サイネージシステムから、前記広告コンテンツの表示時間を示すスケジュール情報を広告商品の商品ＩＤとともに受信する受信部と、前記スケジュール情報に基づいて、前記棚札ＩＤが前記広告商品の商品ＩＤに対応付けられている前記広告商品の電子棚札の表示状態を制御する棚札制御部と、を具備し、前記画像データ生成部は、前記広告商品について、第１の画像データと、前記第１の画像データと態様が異なる第２の画像データを生成し、前記棚札制御部は、前記広告商品の電子棚札に対して、前記サイネージシステムにおいて前記広告コンテンツが前記ディスプレイに表示されている時間を含む第１時間には前記第１の画像データを表示させ、前記第１時間以外の第２時間には前記第２の画像データを表示させる。
【０００８】
本発明に係るＥＳＬシステムは、商品に関する文字情報を含む画像データを表示部に表示可能な複数の電子棚札と、基地局を介して前記各電子棚札と通信を行うＥＳＬサーバと、を含み、所定のスケジュールに従って商品の広告コンテンツをディスプレイに表示させるサイネージシステムと接続するＥＳＬシステムであって、前記ＥＳＬサーバは、前記各電子棚札に固有の棚札ＩＤと各商品に固有の商品ＩＤとを対応付けてメモリに保存し、前記サイネージシステムから、前記広告コンテンツの表示時間を示すスケジュール情報を広告商品の商品ＩＤとともに受信し、前記広告商品について、第１の画像データと、前記第１の画像データと態様が異なる第２の画像データを生成し、前記棚札ＩＤが前記広告商品の商品ＩＤに対応付けられている前記広告商品の電子棚札に対して、前記第１の画像データ及び前記第２の画像データを送信し、前記広告商品の電子棚札は、前記ＥＳＬサーバで作成された前記第１の画像データおよび前記第２の画像データを受信し、前記サイネージシステムにおいて前記広告コンテンツが前記ディスプレイに表示されている時間を含む第１時間に前記第１の画像データを表示し、前記第１時間以外の第２時間に前記第２の画像データを表示する。
【発明の効果】
【０００９】
本発明によれば、デジタルサイネージの広告の表示時間に同期して広告商品の電子棚札の表示状態を制御することができる。これにより、デジタルサイネージで広告している商品の場所を消費者に知らせることができるので、販売促進の効果を十分に発揮することができる。
【図面の簡単な説明】
【００１０】
【図１】本発明の実施の形態１に係るＥＳＬシステムおよびこれと連携するサイネージシステムの構成を示す図
【図２】本発明の実施の形態１に係るＥＳＬサーバの内部構成を示すブロック図
【図３】本発明の実施の形態１に係るＥＳＬサーバの商品データ保存部に保存されるデータの一例を示す図
【図４】本発明の実施の形態１に係るＥＳＬサーバの表示方式データ保存部に保存されるデータの一例を示す図
【図５】本発明の実施の形態１に係るＥＳＬサーバの棚札データ保存部に保存されるデータの一例を示す図
【図６】本発明の実施の形態１に係るＥＳＬサーバのスケジュールデータ保存部に保存されるデータの一例を示す図
【図７】本発明の実施の形態１に係る電子棚札の内部構成を示すブロック図
【図８Ａ】本発明の実施の形態１に係る電子棚札の外観図
【図８Ｂ】本発明の実施の形態１に係る電子棚札の外観図
【図９】本発明の実施の形態２に係るＥＳＬサーバの内部構成を示すブロック図
【図１０】本発明の実施の形態２に係るＥＳＬサーバの関連商品データ保存部に保存されるデータの一例を示す図
【発明を実施するための形態】
【００１１】
以下、本発明の実施の形態について、図面を参照しながら詳細に説明する。
【００１２】
（実施の形態１）
［システム構成］
まず、本発明の実施の形態１に係るＥＳＬシステムおよびこれと連携するサイネージシステムの構成について図１を用いて説明する。なお、図１における点線は、店舗内（図１の左側）と店舗外（図１の右側）の境界を示している。
【００１３】
［サイネージシステム１］
図１に示すように、サイネージシステム１は、コンテンツ作成装置（表示クリエータ）１０と、情報配信サーバ２０と、ＳＴＢ（セットトップボックス）３０と、ディスプレイ４０と、から主に構成されている。情報配信サーバ２０は、インターネット等の通信ネットワークＮを介してコンテンツ作成装置１０およびＳＴＢ３０に接続される。
【００１４】
コンテンツ作成装置１０は、ユーザの操作により、商品の広告情報等のコンテンツデータを作成し、完成したコンテンツデータを、当該商品を識別する情報（以下、「商品ＩＤ」という）と供に、情報配信サーバ２０に送信する。
【００１５】
また、コンテンツ作成装置１０は、ユーザの操作により、電子棚札１００に表示される各文字情報ｉの表示領域（基準点の座標（ｘｉ，ｙｉ）、幅Ｗｉ、高さＨｉ）、各表示領域の色（文字色、背景色）等を設定したテンプレートを商品毎に生成する。本実施の形態において、テンプレートは、通常時のものと、宣伝時（ディスプレイ４０に商品の広告コンテンツが表示されている時）のものの、少なくとも２種類が用意される。なお、各商品に対応する電子棚札１００の種類（大きさ）が複数の場合には、各商品について電子棚札１００の種類毎にテンプレートが用意される。
【００１６】
また、コンテンツ作成装置１０は、ユーザの操作により、電子棚札１００に表示されるＰＯＰ（Point of Purchase）を商品毎に生成する。なお、本実施の形態において、ＰＯＰは、通常時のものと宣伝時のものの少なくとも２種類が用意される。
【００１７】
そして、コンテンツ作成装置１０は、テンプレートを示す情報（以下「テンプレート情報」という）およびＰＯＰを示す情報（以下、「ＰＯＰ情報」という）を、商品ＩＤと供に情報配信サーバ２０に送信する。なお、これらには、通常時のものと宣伝時のものとを識別するためのフラグ情報が付加される。
【００１８】
情報配信サーバ２０は、コンテンツ作成装置１０から受信したコンテンツデータおよび商品ＩＤを記憶すると供に、ユーザによって設定された各コンテンツデータを表示するスケジュール（表示開始時刻および表示時間）を示す情報（以下、「スケジュール情報」という）を記憶する。そして、情報配信サーバ２０は、各コンテンツデータを商品ＩＤおよびスケジュール情報と供にＳＴＢ３０に送信する。
【００１９】
また、情報配信サーバ２０は、コンテンツ作成装置１０から受信した商品ＩＤ、テンプレート情報、ＰＯＰ情報およびフラグ情報のデータセット（以下、「表示方式データ」という）をＳＴＢ３０に送信する。
【００２０】
ＳＴＢ３０は、スケジュール情報に従ってコンテンツデータを再生してディスプレイ４０に表示させる。また、ＳＴＢ３０は、商品ＩＤおよびスケジュール情報をＥＳＬシステム２のＥＳＬサーバ３００に送信する。また、ＳＴＢ３０は、表示方式データをＥＳＬシステム２のＥＳＬサーバ３００に送信する。
【００２１】
［ＥＳＬシステム２］
ＥＳＬシステム２は、（１）レジと紙の棚札との価格との不一致の解消、（２）紙の棚札を作る紙等の原価および作業をなくすこと、（３）商品価格の変更をタイムリーにできるようにすること、等を目的として導入されている。図１に示すように、ＥＳＬシステム２は、電子棚札１００と、基地局２００と、ＥＳＬサーバ３００と、から主に構成されている。ＥＳＬサーバ３００は、ＳＴＢ３０およびＰＯＳサーバ５０と有線接続する。また、ＥＳＬサーバ３００は、既存の無線アクセスポイント７０を介して、ハンディターミナル６０と無線接続する。
【００２２】
ＰＯＳサーバ５０は、全ての商品に関する管理データである商品マスタを記憶し、商品マスタから電子棚札１００の表示に必要な各商品のデータ（商品ＩＤ、商品名、数量、通常価格、割引価格等）を抽出してＥＳＬサーバ３００に送信する。
【００２３】
ハンディターミナル６０は、ユーザの操作により、１つの商品の商品ＩＤをコード化したバーコードおよび当該商品と対応付ける電子棚札１００の固有のＩＤ（以下、「棚札ＩＤ」という）をコード化したバーコードを読み取り、これらのバーコードデータを含む信号を、無線アクセスポイント７０を介してＥＳＬサーバ３００に送信する。
【００２４】
ＥＳＬサーバ３００は、ＥＳＬシステム２を統括的に管理するサーバ装置で有り、一般的には、店舗内の販売スペースとは別室のバックヤード等に配置される。
【００２５】
ＥＳＬサーバ３００は、ＰＯＳサーバ５０から受信した各商品のデータを記憶する（図３参照）。また、ＥＳＬサーバ３００は、ＳＴＢ３０から受信した表示方式データを記憶する（図４参照）。
【００２６】
また、ＥＳＬサーバ３００は、無線アクセスポイント７０を介してハンディターミナル６０から受信した信号に基づいて、各電子棚札１００の棚札ＩＤを、対応する商品の商品ＩＤに関連付けて記憶する（図５参照）。
【００２７】
ＥＳＬサーバ３００は、記憶している上記の情報を用いて、各電子棚札１００に通常時に表示させる画像データ（以下、「通常表示データ」という）を生成する。そして、ＥＳＬサーバ３００は、通常表示データ（第２の画像データ）を当該電子棚札１００の棚札ＩＤと供に、当該電子棚札１００と通信している基地局２００に送信する。
【００２８】
また、ＥＳＬサーバ３００は、ＳＴＢ３０から受信した商品ＩＤおよびスケジュール情報を記憶する（図６参照）。ＥＳＬサーバ３００は、広告コンテンツを放映する商品について、対応する電子棚札１００に宣伝時（ディスプレイ４０に商品の広告コンテンツが表示されている時）に表示させる画像データ（以下、「特別表示データ」という）を生成する。そして、ＥＳＬサーバ３００は、スケジュール情報に含まれる表示開始時刻において、各電子棚札１００の特別表示データ（第１の画像データ）を当該電子棚札１００の棚札ＩＤ、スケジュール情報と供に、当該電子棚札１００と通信している基地局２００に送信する。
【００２９】
各基地局２００は、店舗の壁や天井等に設置され、自セル（配置されたエリア）内に存在する各電子棚札１００と無線通信を行い、ＥＳＬサーバ３００から受信した信号（後述する、画像データ、指示信号等）を各電子棚札１００に送信する。
【００３０】
各電子棚札１００は、商品棚３のフェースに着脱可能に取り付けられる。また、電子棚札１００は、存在するエリアに配置された基地局２００と無線通信を行い、基地局２００から受信した信号に含まれる指示信号に基づいて画面に画像データを表示する。
【００３１】
［ＥＳＬサーバ３００の内部構成（ブロック図）］
次に、ＥＳＬサーバ３００の内部構成について図２のブロック図を用いて説明する。図２に示すように、ＥＳＬサーバ３００は、ネットワークドライバ３０１と、ＣＰＵ３０２と、メモリ部３０３と、表示部３０４と、入力デバイス３０５と、電源部３０６と、タイマ３０７と、から主に構成されている。
【００３２】
ネットワークドライバ３０１は、ＣＰＵ３０２から出力された信号を基地局２００に送信し、基地局２００から受信した信号をＣＰＵ３０２に出力する。また、ネットワークドライバ３０１は、ＳＴＢ３０から受信した信号、ＰＯＳサーバ５０から受信した信号、および、無線アクセスポイント７０を介してハンディターミナル６０から受信した信号をＣＰＵ３０２に出力する。
【００３３】
ＣＰＵ３０２は、ＥＳＬサーバ３００の中央処理装置であり、メモリ部３０３をワークメモリとして、各種プログラムを実行する。なお、ＣＰＵ３０２の本発明に係る機能については後述する。
【００３４】
メモリ部３０３は、ＲＯＭ、ＲＡＭを有し、ＣＰＵ３０２が実行する各種プログラム、および、各種データを記憶する。なお、メモリ部３０３には、商品データ保存部３０３ａ、表示方式データ保存部３０３ｂ、棚札データ保存部３０３ｃ、スケジュールデータ保存部３０３ｄ、画像データ保存部３０３ｅの各保存領域が用意される。
【００３５】
表示部３０４は、液晶等により構成される画面を有し、ＣＰＵ３０２で生成された各種データを画面上に表示させる。
【００３６】
入力デバイス３０５は、キーボード等であり、ユーザの意志に基づくボタン操作内容を電気信号に変換してＣＰＵ３０２に伝達する。
【００３７】
電源部３０６は、ＥＳＬサーバ３００の各部に電源を供給する。
【００３８】
タイマ３０７は、ＣＰＵ３０２の指示により計時を開始し、所定時間を計時すると、完了通知をＣＰＵ３０２に出力する。
【００３９】
［ＣＰＵ３０２の機能、および、保存データ例］
ＣＰＵ３０２は、本発明に係る機能として、管理データ処理部３０２ａと、画像データ生成部３０２ｂと、画像データ送信部３０２ｃと、棚札制御部３０２ｄと、を有する。
【００４０】
図３に示すように、管理データ処理部３０２ａは、ＰＯＳサーバ５０から受信した商品データ（商品ＩＤ、商品名、数量、通常価格、割引価格等）を商品データ保存部３０３ａ（サブ商品マスタ）に保存する。
【００４１】
また、図４に示すように、管理データ処理部３０２ａは、ＳＴＢ３０から受信した表示方式データ（商品ＩＤ、ＰＯＰ情報、テンプレート情報、フラグ情報等）を表示方式データ保存部３０３ｂ（商品表示マスタ）に保存する。なお、図４のフラグ情報において、「０」は通常表示データを示し、「１」は特別表示データを示す。
【００４２】
また、図５に示すように、管理データ処理部３０２ａは、ハンディターミナル６０から受信した信号に含まれる棚札ＩＤおよび商品ＩＤを抽出し、これらを対応付けて棚札データ保存部３０３ｃに保存する。これにより、電子棚札１００と商品とが紐付けられる。なお、複数の電子棚札１００により１つの商品の情報を提示する場合には、複数の棚札ＩＤに同一の商品ＩＤが対応付けられる（登録完了）。そして、管理データ処理部３０２ａは、登録された商品ＩＤを含む登録通知信号を画像データ生成部３０２ｂに出力する。
【００４３】
また、図６に示すように、管理データ処理部３０２ａは、ＳＴＢ３０から受信した信号から、商品ＩＤおよびスケジュール情報を取り出してスケジュールデータ保存部３０３ｄに保存する。
【００４４】
なお、管理データ処理部３０２ａは、ＰＯＳサーバ５０から更新された商品データを入力した場合や、ＳＴＢ３０から更新された表示方式データを入力した場合には、更新された内容をメモリ部３０３に保存されたデータに反映させる。同時に、管理データ処理部３０２ａは、表示内容に変更が生じた商品の商品ＩＤを含む変更通知信号を画像データ生成部３０２ｂに出力する。
【００４５】
画像データ生成部３０２ｂは、登録通知信号または変更通知信号を入力すると、各電子棚札１００のＬＣＤ１５２（図８Ａ、図８Ｂ参照）に表示させる画像データ（通常表示データおよび特別表示データ）を生成する。
【００４６】
例えば、商品ＩＤがＰＲ１０１の商品について、通常表示データを作成する場合、画像データ生成部３０２ｂは、まず、商品データ保存部３０３ａを参照して、ＰＲ１０１の商品データ（商品名：豚肉、数量：１００ｇ、通常価格：２７０）を抽出し、表示方式データ保存部３０３ｂを参照して、ＰＲ１０１に対応付けられたフラグ情報「０」のテンプレート情報「ＴＥ１０１」およびＰＯＰ情報「おすすめ品」を抽出する。そして、画像データ生成部３０２ｂは、抽出したテンプレート情報「ＴＥ１０１」に規定された各領域（ｘｉ，ｙｉ，Ｗｉ，Ｈｉ）にそれぞれ「豚肉」、「１００ｇ」、「２７０円」、「おすすめ品」の文字を表示するように通常表示データを作成する（図８Ａ参照）。また、画像データ生成部３０２ｂは、同様な方法で特別表示データを作成する（図８Ｂ参照）。
【００４７】
画像データ生成部３０２ｂは、完成した画像データを商品ＩＤ、フラグ情報と対応付けて画像データ保存部３０３ｅに保存し、当該商品ＩＤを含む完成通知信号を画像データ送信部３０２ｃおよび棚札制御部３０２ｄに出力する。
【００４８】
画像データ送信部３０２ｃは、完成通知信号を入力すると、棚札データ保存部３０３ｃを参照して、完成通知信号に含まれる商品ＩＤに対応する棚札ＩＤを抽出し、画像データ保存部３０３ｅを参照して、当該商品ＩＤの画像データ（通常表示データおよび特別表示データ）および各画像データのフラグ情報を抽出し、棚札ＩＤ、フラグ情報および画像データのデータセットを、基地局２００を介して電子棚札１００に送信する。
【００４９】
棚札制御部３０２ｄは、スケジュール情報に示された表示開始時刻において、特別表示データの表示を指示する変更指示信号を、棚札ＩＤが広告商品の商品ＩＤに対応する電子棚札（以下、「広告商品の電子棚札」という）１００の当該棚札ＩＤと併せて、基地局２００を介して電子棚札１００に送信する。同時に、棚札制御部３０２ｄは、スケジュール情報に示された表示時間をタイマ３０７にセットし、タイマ３０７を初期化して起動する。なお、棚札制御部３０２ｄは、変更指示信号に、電子棚札１００のＬＥＤ１０５（図７参照）の発光色を指定する情報を含めても良い。
【００５０】
そして、棚札制御部３０２ｄは、タイマ３０７が表示時間を計時したタイミングで、通常表示データの表示を指示する復帰指示信号を、広告商品の電子棚札１００の棚札ＩＤと併せて、基地局２００を介して電子棚札１００に送信する。
【００５１】
なお、画像データ送信部３０２ｃおよび棚札制御部３０２ｄから各基地局２００に送信された各信号は、各基地局２００において、変調（位相変調）、増幅、フィルタリング、アップコンバート等の無線送信処理がなされた後、各電子棚札１００に無線送信される。
【００５２】
［電子棚札１００の内部構成（ブロック図）］
次に、電子棚札１００の内部構成について図７のブロック図を用いて説明する。図７に示すように、電子棚札１００は、本体部１５１（図８Ａ、図８Ｂ参照）の内部に、アンテナ１０１と、無線部１０２と、ベースバンド部１０３と、電池１０４と、ＬＥＤ１０５と、ＬＣＤ１５２と、を有する。
【００５３】
アンテナ１０１は、例えば、ＧＨｚ帯の高周波の電波を送受信可能なものであり、フェライト等で構成されている。
【００５４】
無線部１０２は、無線信号の処理を行う。無線部１０２は、送信部１２１と、受信部１２２と、無線制御部１２３と、第１クロック１２４と、を有する。なお、送信部１２１、受信部１２２および無線制御部１２３は、１チップの無線ＩＣ（集積回路）に集積される。
【００５５】
送信部１２１は、ＣＰＵ１３１から出力されたベースバンドのデジタル信号に対して、変調（位相変調）、増幅、フィルタリング、アップコンバート等の無線送信処理を行い、アンテナ１０１から基地局２００に無線信号を送信する。
【００５６】
受信部１２２は、基地局２００から送信され、アンテナ１０１に受信された無線信号に対して、増幅、ダウンコンバート、フィルタリング、復調等の無線受信処理を行い、ベースバンドのデジタル信号をＣＰＵ１３１に出力する。
【００５７】
無線制御部１２３は、第１クロック１２４のクロック信号を使用して無線部１０２内の各部の制御を行う。また、無線制御部１２３は、受信信号に含まれる棚札ＩＤが自機の棚札ＩＤと一致した場合に、当該受信信号をＣＰＵ１３１にする。
【００５８】
第１クロック１２４は、無線ＩＣの内部で使用するための、所定周波数の基準クロック信号を生成する。
【００５９】
ベースバンド部１０３は、ベースバンド信号の処理を行う。ベースバンド部１０３は、ＣＰＵ１３１と、メモリ部１３２と、第２クロック１３３と、タイマ１３４と、を有する。
【００６０】
ＣＰＵ１３１は、ベースバンド部１０３の中央処理装置であり、メモリ部１３２をワークメモリとして、各種プログラムを実行する。なお、ＣＰＵ１３１の本発明に係る機能については後述する。
【００６１】
メモリ部１３２は、ＲＯＭ（Read Only Memory）、ＲＡＭ（Random Access Memory）を有し、ＣＰＵ１３１が実行する各種プログラム、および、各種データを記憶する。特に、本発明において、メモリ部１３２は、自機（電子棚札１００）の棚札ＩＤを記憶する。
【００６２】
第２クロック１３３は、ＣＰＵ１３１で使用するための、所定周波数の基準クロック信号を生成する。
【００６３】
タイマ１３４は、ＣＰＵ１３１の指示により計時を開始し、所定時間を計時すると、完了通知をＣＰＵ１３１に出力する。
【００６４】
電池１０４は、図示しない起動スイッチがＯＮされると、電子棚札１００の各部に電源を供給する。ただし、消費電力を抑えるために、スリープ状態では、電池１０４は、第２クロック１３３等の一部の機器のみに電力を供給する。
【００６５】
ＬＥＤ１０５は、ＬＣＤ１５２のバックライト光源とは別に設けられ、ＣＰＵ１３１の指示により点灯（または点滅）／消灯する。
【００６６】
［ＣＰＵ１３１の機能］
ＣＰＵ１３１は、本発明に係る機能として、画像データ抽出部１３１ａと、表示制御部１３１ｂと、を有する。
【００６７】
画像データ抽出部１３１ａは、自機宛の受信信号（基地局２００から送信され、受信部１２２に受信され、無線制御部１２３から出力された信号）から画像データ（通常表示データおよび特別表示データ）を取り出してメモリ部１３２に保存する。
【００６８】
また、画像データ抽出部１３１ａは、画像データに付加されたフラグ情報が通常表示データを示すものである場合、通常表示データを受信したことを表示制御部１３１ｂに通知する。また、画像データ抽出部１３１ａは、変更指示信号、復帰指示信号を表示制御部１３１ｂに出力する。
【００６９】
表示制御部１３１ｂは、通常表示データを受信した旨の通知を受けると、メモリ部１３２に保存された通常表示データをＬＣＤ１５２に表示させる。また、表示制御部１３１ｂは、変更指示信号を入力すると、メモリ部１３２に保存された特別表示データをＬＣＤ１５２に表示させ、ＬＥＤ１０５を点灯（または点滅）させる。その後、表示制御部１３１ｂは、復帰指示信号を入力すると、再び、メモリ部１３２に保存された通常表示データをＬＣＤ１５２に表示させ、ＬＥＤ１０５を消灯させる。
【００７０】
［電子棚札１００の外観、表示例］
次に、本実施の形態に係る電子棚札１００の外観および表示例について図８Ａ、図８Ｂを用いて説明する。図８Ａおよび図８Ｂに示すように、電子棚札１００は、本体部１５１と、表示部の一例であるＬＣＤ（液晶ディスプレイ）１５２と、を有する。ＬＣＤ１５２は、本体部１５１の正面１５１ａに設けられる。なお、ＬＣＤ１５２の外周を縁取るフレーム１５１ｂの表側の面には、電子棚札１００の棚札ＩＤをコード化したバーコード（図示せず）が印字される。
【００７１】
本体部１５１は、商品棚３のフェースに取り付け可能な平板形状の筐体である。本体部１５１は、例えば、ポリエチレン、ポリプロピレン及びポリ塩化ビニル等の合成樹脂で構成され、ブロー成形や射出成形等で形成される。なお、本実施の形態では、本体部１５１のフレーム１５１ｂがＬＥＤ１０５の点灯により発光するように構成される。
【００７２】
ＬＣＤ１５２は、文字やコード記号、バーコード等を表示する。例えば、ＬＣＤ１５２は、電子棚札１００が対応付けられた商品の商品名１５２ａ、数量１５２ｂ、価格１５２ｃ、ＰＯＰ１５２ｄ等を示す画像を表示する。なお、本実施の形態では、ＬＣＤ１５２の代わりに、有機ＥＬ、無機ＥＬ及び電子ペーパー等のフラットパネルディスプレイを使用してもよい。
【００７３】
本実施の形態では、各電子棚札１００について、通常時と宣伝時とで、ＬＣＤ１５２の表示内容を異ならせる。図８Ａは、ＬＣＤ１５２が、通常時において、通常表示データを表示している例を示している。図８Ｂは、ＬＣＤ１５２が、宣伝時において、特別表示データを表示している例を示している。また、本実施の形態では、図８Ｂに示すように、宣伝時において、ＬＥＤ１０５が点灯し、本体部１５１のフレーム１５１ｂが発光する。なお、本実施の形態では、宣伝時に、ＬＣＤ１５２のバックライト光源を点灯させても良い。
【００７４】
［効果］
以上のように本実施の形態によれば、ＥＳＬシステム２のＥＳＬサーバ３００が、サイネージシステム１から受信したスケジューリング情報に基づいて電子棚札１００の表示状態（ＬＣＤ１５２の表示内容、ＬＥＤ１０５の点灯／消灯）を制御することができるので、デジタルサイネージの広告の表示時間と、広告商品の電子棚札１００の表示状態を連携させることができる。
【００７５】
これにより、デジタルサイネージで広告している商品の場所を消費者に知らせることができる。また、消費者は、店員の説明を受けなくても当該商品の内容を理解することができると供に、好みの商品を買うことができる。したがって、本実施の形態によれば、デジタルサイネージによる販売促進の効果を十分に発揮することができる。
【００７６】
なお、本実施の形態では、サイネージシステム１おいてディスプレイ４０に広告コンテンツが表示されている時間と、ＥＳＬシステム２において電子棚札１００に特別表示データが表示されている時間が同一である場合について説明したが、本発明はこれに限られず、ディスプレイ４０に広告コンテンツが表示されている時間を含む時間（第１時間）に、電子棚札１００に特別表示データを表示させ、その他の時間（第２時間）に、通常表示データを表示させるようにすればよい。
【００７７】
また、本実施の形態では、ハンディターミナル６０により商品ＩＤと棚札ＩＤを読み取り、これらのＩＤを紐付ける場合について説明したが、本発明はこれに限られず、ＥＳＬサーバ３００のキーボード操作により商品ＩＤと棚札ＩＤを紐付けるようにすることもできる。
【００７８】
（実施の形態２）
実施の形態２では、デジタルサイネージの広告の表示時間に同期して広告商品およびこれに関連する商品の電子棚札の表示状態を切り替える場合について説明する。なお、本実施の形態のシステム構成は、実施の形態１で説明した図１に示したものと同一である。また、本実施の形態の電子棚札１００の内部構成および外観は、実施の形態１で説明した図７、８に示したものと同一である。
【００７９】
図９は、本実施の形態に係るＥＳＬサーバ３００ａの内部構成を示すブロック図である。なお、図９に示すＥＳＬサーバ３００ａにおいて、図２に示したＥＳＬサーバ３００と共通する構成部分には同一の符号を付して説明を省略する。図９に示すＥＳＬサーバ３００ａは、図２に示したＥＳＬサーバ３００に対して、メモリ部３０３の中に関連商品データ保存部３０３ｆを追加する構成を採る。
【００８０】
図１０に示すように、管理データ処理部３０２ａは、入力デバイス３０５から入力されたユーザの指示に応じて、関連商品データ保存部３０３ｆに、各商品ＩＤについて当該商品と関連する商品の商品ＩＤを対応付けて保存する。
【００８１】
例えば、アンチエイジング効果があるサプリメント商品Ａの商品ＩＤをＰＲ２０１とすると、管理データ処理部３０２ａは、商品Ａと同じようにアンチエイジング効果がある他のサプリメント商品Ｂ、Ｃの商品ＩＤであるＰＲ２０２、ＰＲ２０３をＰＲ２０１に対応付けて保存する。
【００８２】
棚札制御部３０２ｄは、スケジュール情報に示された表示開始時刻において、特別表示データの表示を指示する変更指示信号を、広告商品の商品ＩＤに対応付けられた棚札ＩＤと併せて基地局２００に送信する。これと同時に、棚札制御部３０２ｄは、関連表示を指示する関連表示指示信号を、関連商品ＩＤに対応付けられた棚札ＩＤと併せて基地局２００に送信する。なお、関連表示とは、関連商品の電子棚札１００のＬＥＤ１０５を、広告商品の電子棚札１００と異なる色で点灯させるものである。例えば、棚札制御部３０２ｄは、変更指示信号において、広告商品の電子棚札１００のＬＥＤ１０５の発光色を「赤」に指定した場合、関連商品の電子棚札１００のＬＥＤ１０５の発光色を「緑」に指定する。
【００８３】
電子棚札１００の表示制御部１３１ｂは、関連表示指示信号を入力すると、通常表示データをＬＣＤ１５２に表示させたまま、関連表示指示信号で指定された色でＬＥＤ１０５を点灯させる。
【００８４】
［効果］
以上のように本実施の形態によれば、ＥＳＬシステム２のＥＳＬサーバ３００が、デジタルサイネージの広告の表示時間に同期して広告商品の電子棚札１００の表示状態、および、関連商品の電子棚札１００の表示状態（ＬＥＤの点灯／消灯およびＬＥＤの発光色）を制御することができるので、消費者に、関連商品を認知してもらうことができる。これにより、関連商品の販売促進の効果も得ることができる。
【００８５】
なお、本実施の形態では、関連商品の電子棚札１００に表示させる画像データ（以下、「関連表示データ」という）を生成し、ＥＳＬシステム２のＥＳＬサーバ３００が、広告商品の宣伝時に、関連商品の電子棚札１００の表示内容を関連表示データに切り替えるようにしても良い。
【産業上の利用可能性】
【００８６】
本発明は、デジタルサイネージを設置している店舗のＥＳＬシステムに用いるのに好適である。本発明によれば、デジタルサイネージシステムとＥＳＬシステムとを連携させ、消費者が店員の説明を受けなくても商品の内容を理解して好みの商品を買うことができるような、新しい形態の売り場を提供することができる。
【符号の説明】
【００８７】
１  サイネージシステム
２  ＥＳＬシステム
３  商品棚
１０  コンテンツ作成装置
２０  情報配信サーバ
３０  ＳＴＢ
４０  ディスプレイ
５０  ＰＯＳサーバ
６０  ハンディターミナル
１００  電子棚札
１０１  アンテナ
１０２  無線部
１０３  ベースバンド部
１０４  電池
１０５  ＬＥＤ
１２１  送信部
１２２  受信部
１２３  無線制御部
１２４  第１クロック
１３１  ＣＰＵ
１３１ａ  画像データ抽出部
１３１ｂ  表示制御部
１３２  メモリ部
１３３  第２クロック
１３４  タイマ
１５１  本体部
１５２  ＬＣＤ
２００  基地局
３００、３００ａ  ＥＳＬサーバ
３０１  ネットワークドライバ
３０２  ＣＰＵ
３０２ａ  管理データ処理部
３０２ｂ  画像データ生成部
３０２ｃ  画像データ送信部
３０２ｄ  棚札制御部
３０３  メモリ部
３０４  表示部
３０５  入力デバイス
３０６  電源部
３０７  タイマ
【要約】
ＥＳＬシステム（２）のＥＳＬサーバ（３００）は、サイネージシステム（１）と接続し、サイネージシステム（１）から、ディスプレイ（４０）に表示する広告コンテンツの表示開始タイミングおよび表示時間を含むスケジュール情報を広告商品の商品ＩＤとともに受信する。ＥＳＬサーバ（３００）は、各電子棚札（１００）に表示させる画像データを商品毎に生成する画像データ生成部（３０２ｂ）と、各電子棚札（１００）に、棚札ＩＤに対応する商品ＩＤの画像データを送信する画像データ送信部（３０２ｃ）と、スケジュール情報に基づいて、棚札ＩＤが広告商品の商品ＩＤに対応付けられている電子棚札の表示状態を制御する棚札制御部（３０２ｄ）と、を具備する。【図１】
0006013629.tif 000002
【図２】
0006013629.tif 000003
【図３】
0006013629.tif 000004
【図４】
0006013629.tif 000005
【図５】
0006013629.tif 000006
【図６】
0006013629.tif 000007
【図７】
0006013629.tif 000008
【図８Ａ】
0006013629.tif 000009
【図８Ｂ】
0006013629.tif 000010
【図９】
0006013629.tif 000011
【図１０】
0006013629.tif 000012